(57)【要約】  本発明は、特殊な含炭酸塩植物性複合体ＣＶＣによる被覆を伴う、３〜６日間発酵された特に藁と馬糞の堆肥ＣＰの発酵方法によるドープ型植物性複合体の調製に関する。２００〜３５０％に至るメタン化の改善において応用される、極めて改善された生物活性を呈する特にフミン酸核、菌根、固定ガス（窒素、炭素）の濃度が非常に高いドープ型またはオーバードープ型植物性複合体が得られる。【選択図】図４
2015520096.tif 000002
【特許請求の範囲】
【請求項１】
「堆肥被覆付き」ドープ型またはオーバードープ型植物性複合体ＣＶＤまたはＣＶＳＤの調製方法において、
ａ）各々特定の植物または植物性材料から得られた「植物複合体の複数の展延物（６〜２０または８〜１５）を未処理の藁層により被覆し、２〜８ヵ月、好ましくは３〜６ヵ月間土壌外で、あるいは１８〜２４ヵ月、好ましくは２年間土壌中に半分埋設した状態でこれらの生産物を劣化させ、その後これらの期間の終了時に「植物性複合体ＣＶ」を形成するこれらの劣化生産物を収獲することによって、複数の、好ましくは６〜２０個または好ましくは８〜１５個の活性化植物性複合体ＣＶを調製するステップと
ｂ）乾燥材料が約６０〜８０％の濃度になるまでＣＶを乾燥させるステップと
ｃ）乾燥ＣＶと炭酸塩材料、特に炭酸カルシウムを、炭酸塩材料７０〜９５重量％の割合で混合し、「含炭酸塩植物性複合体」ＣＶＣを形成するステップと
ｄ）平行して、約５〜１５％の有機材料を含有する植物性堆肥を３〜６日間好気性発酵させて、「発酵済みまたは発酵中の堆肥」ＣＰを生成するステップと
ｅ）この堆肥ＣＰの堆積物を調製し、これを
−  ＣＶＣ層と、
−  好ましくはさらに、先行ロットまたは「バッチ」の製造の際に得られるドープ型植物性複合体ＣＶＤの１ｍｍふるいでの非通過によって形成される活性化粗材料ＧＡの上部層と
で被覆するステップと、
ｆ）堆積物の頂部でもはや気体放出が確認されなくなった場合にＣＶＣ層から、そして存在する場合にはＧＡ層から、ＣＶＣ層との境界面に位置する堆肥ＣＰの上部部分ｄ２を収獲し、こうして、ＧＡ層を伴わない場合にはドープ型植物性複合体ＣＶＤ［ｅ）で使用されるもの］を得、あるいはＧＡ層を伴い１ｍｍこし器を通過させた場合にはオーバードープ型植物性複合体ＣＶＳＤを得るステップであって、これら二つの複合体は１ｍｍこし器を通過させられ、こし器を通過した粒子は純粋な状態でまたは無機材料または無機／有機材料で希釈された状態で利用可能であるステップと、
を含むことを特徴とする、調製方法。
【請求項２】
ステップＡ
「活性化植物性複合体（ＣＶ）」の調製
ステップＡ１
「植物複合体」またはＣＰＬと呼ばれる６〜２０タイプ、好ましくは１０〜１５タイプという一定数の植物性材料を収獲するステップであって、各ＣＰＬが唯一の植物または特定の植物性材料で構成され、植物または植物性材料は、好ましくは、
−  イラクサ、
−  オークの葉、
−  例えば落葉の下に成長して、土壌の上に、または土壌中、根の上などに存在する菌類、カビまたは胞子、
−  局地での入手可能性に応じた他の植物または植物性材料、
の中から選択され、
−  各植物または植物性材料が、例えば１ヘクタールの広大な面積にわたり、場合によっては土壌（Ｓ）中に設けられたトレンチＴ内に半分埋設した状態で別個に展延されるステップと；
ステップＡ２
１．これらの植物または植物性材料の第一の画分：
この第一の画分の各植物または植物性材料ＣＰＬ１は、例えば１ヘクタール広大な面積にわたり、トレンチＴ内に半分埋設して半分「土壌外にある」状態で展延されている（特にイラクサおよびオークの葉そして場合によっては他の植物）；
２．これらの植物または植物性材料の第二の画分：
この第二の画分の各植物または植物性材料ＣＰＬ２は、完全に「土壌外にある」状態で、例えば１ヘクタールの広大な面積にわたり展延されている（特に葉、菌類および他の植物）；
３．植物または植物性材料のこれらの「展延物」の各々は、一定の厚みの「未処理の」藁Ｐ、特に麦藁またはスペルト小麦の藁により被覆されている；
４．各「展延物」は、好ましくはおよそ８０ｃｍ〜１ｍの厚みを呈し、藁Ｐの層の厚みはおよそ２０〜４０ｃｍである；
ステップと；
ステップＡ３
５．半分埋設した「第一の画分」の半分埋設した展延物については１８〜２４ヵ月間、好ましくは２年間、そして「第二の画分」の完全に土壌の外にある展延物については２〜８ヵ月間、好ましくは３〜６ヵ月間、展延物全体を劣化させるステップと；
ステップＡ４
６．収獲：
上述の期間の終了時点で、劣化した藁および劣化した植物性材料全体および菌類を含むそれらの劣化生産物を収獲し［こうして展延物の堆積物と同数の「植物性複合体」ＣＶが形成される］、植物性複合体（すなわち「藁で被覆された展延物」と同数のＣＶｉ）のこれらの収穫物をまとめ撹拌して（包括的）「植物性複合体」ＣＶを形成するステップと；
ステップＢ
強い活性の「含炭酸塩植物性複合体」（ＣＶＣ）の調製
ステップＢで調製された（活性化された）包括的植物性複合体ＣＶを、
−  Ｂ１：約６０〜８０重量％の乾燥材料濃度まで乾燥させ、次に
−  Ｂ２：「炭酸塩材料」と混合するステップであり、「炭酸塩材料」は、高いまたは非常に高い割合の炭酸塩、粗い乃至は非常に粗い粒度を呈する形の、全面的に好ましくは炭酸カルシウム、特に１００〜３００ミクロンの範囲内の粒度さらにはより粗いものであり、好ましくは不均質さらには非常に不均質な粒度を有する、例えば大理石、方解石、あられ石などの粉砕天然炭酸カルシウムまたはＧＣＣを含むあらゆる材料であり［ここで「炭酸塩材料」、特に炭酸カルシウムの割合は、乾燥炭酸塩材料の７０〜９５重量％（炭酸塩中の乾燥材料の比率はおよそ９８重量％である）、好ましくは８０〜９０％であり、１００％までの補完物は、乾燥材料の６０〜８０重量％つまり天然の植物性複合体の５〜３０％、好ましくは１０〜２０％の包括的植物性複合体である］；
ドープ型またはオーバードープ型植物性複合体の調製方法
オプション１
ドープ型植物性複合体（ＣＶＤ）
ステップ１Ａ
非常に高い割合の藁または等価の植物性材料、全面的に好ましくは藁、および有機材料を含む堆肥、特に、好ましくは９０重量％の藁と１０重量％の馬糞を含みかつ好ましくは２０〜４０重量％の乾燥材料を含み、残分が水である藁と馬糞の堆肥を調製し；
非常に好ましくは堆肥ＣＶＣを異なる堆肥ＣＰの上に、例えば
−  非常に好ましくは植物性堆肥を牛または馬（ウマ科）の家畜の厩肥上に、または、
−  植物性堆肥を他の家畜動物の厩肥上に、
配置するステップであって、
ＣＰ中の動物性材料の割合が、最終的に、成長のため微生物に与えられる材料中において総重量でつねに１重量％未満である、
ステップと；
ステップ１Ｂ
この堆肥を好気性条件で３〜６日間発酵させて、こうして、発酵済みまたは発酵中の堆肥ＣＰを生産するステップと、
ステップ１Ｃ
好ましくは全体として断面が台形の堆積物の形にこの堆肥ＣＰを土壌の上に置き、それをその面全体にわたり、特にその上部面を、以上で得た含炭酸塩植物性複合体ＣＶＣの層で被覆するステップであって；
堆肥ＣＰの堆積物の高さがおよそ１．７０〜１．９０ｍであり、
含炭酸塩植物性複合体層ＣＶＣが、堆肥ＣＰのこの堆積物の上部面の上でおよそ１５〜３５ｃｍ、好ましくは２０〜３０ｃｍであり、側面上で５〜１０ｃｍである、
ステップと；
ステップ１Ｄ
全体の頂部で気体放出が感知されるまで、ＣＶＣの被覆層の被覆下でこの層と相乗的に、堆肥ＣＰにその発酵を続行させるステップと；
ステップ１Ｅ  収獲
その後、
−  含炭酸塩植物性複合体ＣＶＣ（複合体体積ｄ１）の上部層と側面層の全体、および、ＣＶＣとＣＰとの境界面の下に位置する堆肥ＣＰの体積ｄ２の全体を収穫し、ここで
６０〜８０ｃｍの堆肥ＣＰ塊の高さ、および１５〜３０ｃｍ、好ましくは２０〜３０ｃｍのＣＶＣの上部層の高さに対して、ＣＰ／ＣＶＣ境界面下で採取された堆肥ＣＰ塊の体積ｄ２の高さはおよそ６０〜８０ｃｍであり、
可能なかぎり大きい回収体積ｄ２を入手する必要性と、活性化度が過度に低い堆肥ｄ２を回収しないように回収体積を過度に大きくしないことの間の妥協点である堆肥ＣＰの体積ｄ２およびＣＶＣ（ｄ１）を回収するステップと；
ステップ１Ｆ  ふるいまたはこし器Ｔの通過
収獲した「ドープ型植物性複合体」ＣＶＤ、すなわち体積ｄ１（ＣＶＤ）およびｄ２（堆肥ＣＰ）は、約１〜１０ｍｍのサイズの粒子を留めるふるいまたはこし器Ｔに通され、こうして「活性化粗粒子」または「ＧＡ」という第一の生産物を形成し、かつドープ型植物性複合体ＣＶＤを形成する「活性化微」粒子または「ＦＡ」とここでは呼ばれるほぼ１ｍｍ未満のサイズの粒子を通過させる
ステップと；
オプション２
オーバードープ型植物性複合体（ＣＶＳＤ）
オプション１の場合と全く同じであるが、ＣＶＣ（含炭酸塩植物性複合体）層により堆肥ＣＰを被覆した後、上述のオプション１においてこし器での阻止によって得られる活性化粗粒子ＧＡで構成される第三の層により全体を覆うという点を除くステップと；
オプション１の場合と同様、ＣＶＤのｄ１とＣＰのｄ２に加えて、層ＧＡ（概して頂部で４０〜５０〜６０ｃｍ）を回収するステップであって、このとき回収されたもの全体（ｄ１＋ｄ２＋ＧＡ）とＣＰの未使用残留物の間の体積比がおよそ５０／５０であるステップと；
ふるいがけの後、「オーバードープ型植物性複合体」ＣＶＳＤを得るステップと、
を有することを特徴とする、請求項１に記載の方法。
【請求項３】
希釈を行なうこと、すなわち、
−  「中性」または「不活性」媒体を用いた希釈
本発明に係る純粋な複合体ＣＶＤまたはＣＶＳＤ（区別せずに）を、炭酸塩またはシリカ砂などの一つまたは複数の不活性または中性の固体媒体またはポゾランなどの他の生産物を用いて希釈する
希釈は、エンドユーザーの判断にしたがったほぼ任意の割合で、特に、生産物が活性かつ有効であるため、３０／７０、２０／８０さらには１０／９０、５／９５、１／９９という純粋なＣＶＤまたはＣＶＳＤ／砂比率（総重量）で行なわれる、
−  「有機材料」タイプの媒体、（またはこのような有機材料を含む）媒体を用いた希釈
希釈は、セイヨウアブラナの搾りかす、オリーブ果肉、カカオの実などの有機材料を一％含む生産物を用いて実施可能である、
を行なうことを特徴とする、請求項１または２に記載の方法。
【請求項４】
請求項１〜３のいずれか一つに記載の方法によって得られることを特徴とする、ＣＶＤおよびＣＶＳＤ生産物。
【請求項５】
純粋なおよび／または希釈された少なくとも一つのＣＶＤまたはＣＶＳＤあるいはそれらの混合物で構成されているかまたはそれらを含むことを特徴とする新規の工業生産物。
【請求項６】
−  気体ＮＨ3、ＣＯ2およびＨ2が「遮断」および固定されており、これが炭素および窒素吸収源を表わしていること；
−  フミン酸核およびフミン酸の濃度が、期待された濃度よりも２００〜６００％（特に３００〜５００％）高いこと；
−  微生物（細菌、菌類、カビ…）の濃度が非常に高く、かつ多様性が非常に大きく、そのためそれ自体今度はフミン酸を製造すること；
−  菌根濃度が並はずれていること；
−  複合体ＣＶＤまたはＣＶＳＤ内のヘミセルロース率は、６〜８ヵ月の相互作用の終了時点で通常の堆肥に比べて約二倍であること、
のうち少なくとも一つを特徴とする、請求項４または５に記載の生産物。
【請求項７】
メタン化方法またはメタンまたはメタン含有バイオガスの生産方法において、請求項１〜３に記載の通りの、あるいは純粋なまたは希釈された請求項４〜６に記載の少なくとも一つのＣＶＤまたはＣＶＳＤ生産物をメタン化装置内に導入することを特徴とする方法。
【請求項８】
有機廃棄物を利用する３０００ｍ3のメタン化装置そして一日に６０ｔのこれらの有機廃棄物の補完物について、これら６０ｔの日々の補完物に対して、純粋なＣＶＤまたはＣＶＳＤ生産物との関係においてＣａＯに換算して３０〜６０重量％、好ましくは４５〜５４重量％の割合で砂そして非常に好ましくは炭酸塩砂を用いて指示された割合で希釈された本発明に係る純粋なＣＶＤまたはＣＶＳＤ６００ｋｇを添加し混合することを特徴とする、請求項７に記載の方法。
【請求項９】
「消化残渣」と呼ばれる反応装置の底の残留分を回収することを特徴とする、請求項７または８に記載の方法。
【請求項１０】
請求項９に記載の回収された消化残渣で構成されること、およびフミン酸をおよそ二倍または三倍（特に１４０〜２００％の増加）含むことを特徴とする新規工業生産物。
【請求項１１】
請求項７または８に記載の方法によって得られることを特徴とする、メタンを含むバイオガス。
【請求項１２】
請求項７〜８に記載の方法により得られたまたは請求項１１に記載のバイオガスまたはメタンの、その全ての公知の利用分野における応用。
【発明の詳細な説明】
【技術分野】
【０００１】
本発明は、有機材料および植物性材料、バイオマスそして堆肥全般、さまざまな形の形態の複合堆肥の調製および、特にメタン化におけるそれらの応用の技術分野に関する。
【０００２】
本発明により、
−  一方では、ａ）以下で極めて活性であることが説明されている、単純化のため「植物性複合体」ＣＶとここで我々が呼んでいるものと、
−  他方では、ｂ）単純化のため「ドープ型またはオーバードープ型植物性複合体」（Ｒ１またはＲ２）とここで我々が呼んでいるものとを、
−  植物性複合体（さまざまな植物複合体ＣＰＬ）および藁Ｐなどの被覆要素から
−  調製する方法が発見された。
−  これらの用語は、添付図面を基準にしており、以下で詳細に説明される。
【０００３】
本発明は、好気性および嫌気性の非常に多様な環境において作用する複合体であるドープ型またはオーバードープ型植物性複合体を導くものであることがわかる。これは特に、
−  特に堆肥化およびメタン化において、好気性および嫌気性微生物の作用を１．１〜１０倍そして一般的に１．３〜３倍加速する効果；
−  嫌気性条件において：
・  バイオガスの生産およびこのバイオガス中のメタンの割合を増大させ、こうしてメタンの生産は１．１〜６倍そして一般的には１．３〜３倍増大し、バイオガス中のＣＯ2の割合は、１０〜９０％そして一般的には４０〜６０％減少させる効果；
・  Ｈ２Ｓ排出量を３０〜８０％そして一般的には４０〜６０％減少させる効果；
・  メタン化の消化残渣のフミン酸含有量を、１．１〜６倍、そして一般的には１．３〜３倍増大させ、したがってその肥料価値を同じだけ改善する効果；
−  好気性条件下では：
・  空気中の元素の固定を加速し、特にＣＯ2、Ｏ2およびＮ2の固定を１．１〜１０倍、そして一般的には１．３〜３倍増大させる効果；
−  好気性および／または嫌気性条件下では：
・  有機材料の変換（特に有機材料の変化、分解および合成）を１．１〜１０倍、そして一般的に１．３〜
３倍加速する効果；
・  貯蔵、変化および散布の際の有機および無機材料からの、気体および液体の放出／損失、特に窒素および炭素の放出／損失を１０〜９０％、そして一般的に４０〜６０％削減する効果；
・  本発明が置かれる環境における有機および無機元素の抽出および固定を１．１〜１０倍そして一般的には１．３〜３倍加速する効果、特に、地球温暖化および温室効果ガスへの取り組みにおいて有用な「炭素および窒素吸収源」を作り出すことにより窒素および炭素の固定の加速装置の効果；
・  ＤＣＯを１０〜９０％そして一般的に４０〜６０％削減することにより水の汚染を除去する効果；
−  本発明が好気性および／または嫌気性条件下に置かれている土壌または基質（特に堆肥、培地、処理すべき有機廃棄物、飼育下水、厩肥、液肥）内において：
・  腐食土およびフミン酸の生成を１．１〜１０倍そして一般的に１．３〜３倍加速し、帰結として、本発明が使用される土壌または基質について：
・  粘土−腐食土複合体の、特にサイズおよびＣＥＣ（カチオン交換能力）を１．１〜１０倍そして一般的に１．３〜３倍増大させる効果、
・  その構造、水が過剰である場合のその乾燥能力、その作業の容易性、その根発育促進機能を１．１〜１０倍そして一般的に１．３〜３倍改善する効果、
・  その保水能力および特に灌漑用水そして特に干ばつへの取り組みにおける状況下での節水能力を、１．１〜１０倍そして一般的に１．３〜３倍改善する効果、
・  その耐侵食性を１．１〜１０倍そして一般的に１．３〜３倍増大させる効果、
・  その生産力、特に植物のために利用可能な栄養元素量を１．１〜１０倍そして一般的に１．３〜３倍改善し、土壌中の元素のバランスを改善する効果；
・  根の発育を１．１〜１０倍そして一般的に１．３〜３倍増大させる効果；
・  根圏微生物、特に菌根の成長を１．１〜１０倍そして一般的に１．３〜３倍増大させる効果；
・  植物の栄養元素回復を１．１〜１０倍そして一般的に１．３〜３倍増大させる効果；
・  植物の病害抵抗性を１．１〜１０倍そして一般的に１．３〜３倍増大させ、したがって殺虫剤の使用を１０〜１００％そして一般的に５０〜１００％減少させる効果；
・  多種栽培の場合などの牧草地における植物の生物学的多様性を１．１〜１０倍そして一般的に１．３〜３倍増大させる効果；
・  雑草を１０〜９０％そして一般的に４０〜６０％削減する効果；
・  世界的人口増加という情況下で農業生産および食料生産の質および／または量を１．１〜１０倍そして一般的に１．３〜３倍増大させ、したがって人間の質的および量的栄養を改善する効果、
・  本発明が使用される土壌、地下の地層および基質中の未活用の無機元素の抽出を、１．１〜１０倍そして一般的に１．３〜３倍増大させる効果、
・  汚染された土壌または基質中の重金属、塩、特に硝酸塩または他の全ての汚染物質の固定および吸着を１．１〜１０倍そして一般的に１．３〜３倍増大させ、こうして、そこに生育する植物に対するこれらの汚染物質の移転を１０〜９０％そして一般的に４０〜６０％削減する効果、
を有する。
【０００４】
注：「有機材料」という用語は、その最も広い意味で解釈され、すなわち炭素を含む全ての材料に対応している。
【０００５】
何らかの理論により束縛されることを望まないものの、出願人は、（意外でかつ特にメタン化にとって極めて有利であるその性質が以下で評価される）特性が、本発明の独創的方法を利用した場合の固体／液体／気体境界面と気相および／または細菌、菌類、胞子および存在する他の微生物の間（そして周囲雰囲気の気相と）の新規のあるいは強く「ドープされた」または「活性化された」反応の組合せ、特に植物相の初期劣化による塊の被覆効果との相乗作用、窒素またはＣＯ2などの必須気相の固定、および相間の多重交換および気相の緩慢な浸透によるフミン酸核および菌根などの公知のまたは新規の物質の生産の結果としての並外れた増大であることを示唆している。
【背景技術】
【０００６】
当然のことながら、堆肥は非常に昔から公知である。これは、自然の生産物（葉、草など）の、あるいは動物由来の材料（厩肥など）に由来する生産物の、またはこれら二つのタイプの混合の生産物の、多少の差こそあれ分解が進んだ生産物である。
【０００７】
組成は、それが由来する土壌、地方、関係する動物などによって変化する。
【０００８】
これは緩慢なプロセスであり、その緩慢さ故に、非常に有用であることが知られている多くの元素、とりわけ炭素および窒素が環境（特に空気および水）中に失われる。
【０００９】
その上、あらゆるタイプの廃水を処理するために細菌を使用することは公知である。
【００１０】
最後に、メタンガス（ＣＨ4）を生産するために有機材料を利用することは知られている。しかしながら、周知の方法で特にメタンガスを生産する細菌の活性の効率は、非常に低く、したがってメタン利用の収益性は低く、したがってそれが重要なエネルギー源となりうるにもかかわらずほとんど「些末なもの」となっている。ここでもなお、本発明は、飛躍的な進歩を表す改善をもたらす。
【００１１】
これらの問題は周知でかつ長年来のものであるにもかかわらず、関係する業界はいかなる技術的解決法も見い出しておらず、したがって、問題全体を解決するどころではない一時しのぎの手段を開発することで満足してきた。
【００１２】
農業部門、あるいは全ての廃水の非常に効果的かつエコロジカルで経済的な処理（以上で記した一般的特性を参照）を手短に挙げることができ、しかし、特にメタン部門は全くまたはほとんど進化しておらず、今のところいかなる研究も高い効率を可能にするものとは思われず、いかなる集中的研究もこの点に関して行なわれておらず、その一方でいわゆる「グリーン」または「クリーン」エネルギーの生産は近年非常に大きく飛躍しており（風力発電所、太陽発電パネルなど）、この事実はかかるエネルギーに対する需要が大きく、かつ満たされていないことをよく示している。
【発明の概要】
【００１３】
「当業者」とは、本出願において、畜産業者、農業従事者、植林者および類似の活動などの、土を耕すあらゆる専門家、かつ、発酵、堆肥、「バイオマス」およびメタンの生産または「メタン化」についての通常の知識を有するあらゆる専門家である。
【発明が解決しようとする課題】
【００１４】
提起されている技術的課題は、非常に大きく改善されたＣＨ4収率で、メタン含有バイオマスまたはメタンをメタン化方法により製造することにある。
【課題を解決するための手段】
【００１５】
添付の図１〜６を参照する。
【００１６】
本発明は、「少なくとも一つの植物性複合体による堆肥被覆付きと呼ばれるドープ型またはオーバードープ型植物性複合体ＣＶＤまたはＣＶＳＤの調製方法において、
ａ）各々特定の植物または植物性材料から得られた「植物複合体」の複数の展延物（６〜２０または８〜１５）を未処理の藁層により被覆し、２〜８ヵ月、好ましくは３〜６ヵ月間土壌外で、あるいは１８〜２４ヵ月、好ましくは２年間土壌中に半分埋設した状態でこれらの生産物を劣化させ、その後これらの期間の終了時に「植物性複合体ＣＶ」を形成するこれらの劣化生産物を収獲することによって、複数の、好ましくは６〜２０個または好ましくは８〜１５個の活性化植物性複合体ＣＶを調製するステップと；
ｂ）乾燥材料が約６０〜８０％の濃度になるまでＣＶを乾燥させるステップと；
ｃ）乾燥ＣＶと炭酸塩材料、特に炭酸カルシウムを、炭酸塩材料７０〜９５重量％の割合で混合し、「含炭酸塩植物性複合体」ＣＶＣを形成するステップと；
ｄ）平行して、約５〜１５％の有機材料を含有する植物性堆肥を３〜６日間好気性発酵させて、「発酵済みまたは発酵中の堆肥」ＣＰを生産するステップと；
ｅ）この堆肥ＣＰの堆積物を調製し、これを、
−  ＣＶＣ層と
−  好ましくはさらに、先行ロットまたは「バッチ」の製造の際に得られたドープ型植物性複合体ＣＶＤの１ｍｍふるいでの非通過によって形成された活性化粗材料ＧＡの上部層と；
で被覆するステップと；
ｆ）堆積物の頂部でもはや気体放出が確認されなくなった時点でＣＶＣ層から、そして存在する場合にはＧＡ層から、ＣＶＣ層との境界面に位置する堆肥ＣＰの上部部分ｄ２を収獲し、こうして、ＧＡ層を伴わない場合にはドープ型植物性複合体ＣＶＤ［ｅ）で使用されるもの］を得、あるいはＧＡ層と１ｍｍこし器を通過させた場合にはオーバードープ型植物性複合体ＣＶＳＤを得るステップであって、これら二つの複合体は１ｍｍこし器を通過させられ、こし器を通過した粒子は純粋な状態でまたは無機材料または無機／有機材料で希釈された状態で利用可能であるステップと；
を含むことを特徴とする、調製方法に関する。
【００１７】
さらに詳細には、この方法は以下のステップにより定義することができる。すなわち、
ステップＡ
土壌および類似の因子または局地的に存在する天然でかつ汚染性も毒性もない植物性または無機材料の混合または組合せに応じて互いに異なる可能性がある「活性化植物性複合体（ＣＶ）」の調製。
以下で示す通り、これらの植物性複合体ＣＶはすでに強く「活性化」されている。
【００１８】
ステップＡ１
ここで「植物複合体」またはＣＰＬと呼ぶ、局地の可能性に応じて６〜２０タイプ、好ましくは１０〜１５タイプという一定数の植物性材料を収獲する。
【００１９】
各ＣＰＬは、唯一の植物または特定の植物性材料で構成される（または極めて優勢な形で、唯一の植物または特定の植物性材料で構成されており、他の植物性材料によるわずかな汚染は、収集及び選別の際にしばしば不可避であるため許容可能である）。
【００２０】
これらの植物または植物性材料は、好ましくは（ただし非限定的に）、
−  イラクサ、
−  オークの葉、
−  例えば落葉の下に成長して、土壌の上に、または土壌中、根の上などに存在する菌類、カビまたは胞子、
−  局地での入手可能性に応じた他の植物または植物性材料、
の中から選択される。
−  各植物または植物性材料は、例えば１ヘクタールの広大な面積にわたり、場合によっては土壌（Ｓ）中に設けられたトレンチＴ内に半分埋設した状態で別個に展延され、したがってこうして、ある表面上にはイラクサを、もう一つの表面上には葉を、第三の表面上には菌類を展延させる等といったことになる。
【００２１】
ステップＡ２
１．これらの植物または植物性材料の第一の画分：図１
この第一の画分の各植物または植物性材料ＣＰＬ１は、例えば１ヘクタールの広大な面積にわたり、トレンチＴ内に半分埋設して半分「土壌外にある」状態で展延される。
【００２２】
ここで、特に関係するのはイラクサおよびオークの葉そして場合によっては他の植物である。
【００２３】
この第一のオプションは図１に表されており、ここでＣＰＬ１（植物複合体１、例えばオークの葉、あるいは別個にイラクサなど）は、トレンチＴ内に半分展延され、もう一方の半分（およそ）は土壌外にある。土壌のレベルは（Ｓ）により表されている。
【００２４】
２．これらの植物または植物性材料の第二の画分：図２
この第二の画分の各植物または植物性材料ＣＰＬ２は、完全に「土壌外にある」状態で、例えば１ヘクタールの広大な面積にわたり展延される。
【００２５】
ここで特に関係するのは、葉、菌類および他の植物である。
【００２６】
３．植物または植物性材料のこれらの「展延物」の各々は、一定の厚みの「未処理の」藁Ｐ、特に麦藁またはスペルト小麦の藁により被覆される。
【００２７】
４．各「展延物」は、好ましくはおよそ８０ｃｍ〜１ｍの厚みを呈し、藁Ｐの層の厚みはおよそ２０〜４０ｃｍである。
【００２８】
それに付随して、月を追う毎に、植物性材料の劣化のため「堆積物」は沈下することを記しておく。
【００２９】
「収穫」の時点で、植物の厚みは１５ｃｍから２０〜３０ｃｍ前後までに削減される。
【００３０】
ステップＡ３
５．有効な例示を目的として、半分埋設した「第一の画分」の半分埋設した展延物については１８〜２４ヵ月間、好ましくは２年間、そして「第二の画分」の完全に土壌の外にある展延物については２〜８ヵ月間、好ましくは３〜６ヵ月間、展延物全体を劣化させる。
【００３１】
収獲（以下参照）の後、意外にも植物および植物性材料の非常に強い劣化そして、菌類、胞子などの個体群の非常に意外な成長が確認され、この意外な効果は、藁の被覆が劣化して、植物および植物性材料の劣化に対し相乗的に影響を及ぼすと共に、さらに、おそらくは材料の損失を強く減速させ交換に有利に作用する被覆効果に起因するものと思われる。
【００３２】
各展延物について、各展延物を被覆する藁の劣化度（外観、変色など）に応じて、収獲に合った時期が判断される。これには、当業者の一般知識とその常識が援用される。
【００３３】
ステップＡ４
６．収獲：
上述の期間の終了時点で、劣化した藁および劣化した植物性材料全体および菌類を含むそれらの劣化生産物を収獲し、こうして展延物の堆積物と同数の「植物性複合体」ＣＶが形成され、これは、第一の画分についてはＣＶ１によって、そして第二の画分についてはＣＶ２によって表されている。
【００３４】
収獲は、好ましくは一年に一回行なわれるが、これは当然限定的なことではない。
【００３５】
当業者であれば、第一および第二の画分の劣化時間が異なることから、多少の差こそあれ迅速に行われる収穫に応じて、多少の差こそあれ数が多く時間的に分散された展延物を調整することが適切であることを、難なく理解するものである。
【００３６】
（「ドープ型」劣化のためすでに「活性化されている」）植物性複合体すなわちｘＣＶ１、ｙＣＶ２（「藁で被覆された展延物」と同数のＣＶｉ）のこれらの収獲物はまとめられ、撹拌され、こうして（包括的）「植物性複合体」ＣＶ（したがってこれは非常に活性化され、非常に複合的である）が形成される（図３）。
【００３７】
各植物性複合体ＣＶｉは、出発植物／植物性材料の残渣および劣化生産物、および被覆として置かれた藁Ｐ、ならびに、すでに存在していて非常に強く成長しているかまたは高い割合で出現した微小動物相および微小植物相を含有し、特に、あらゆる種類の菌類、胞子の異常な増殖を伴い、これは出願者が、中間生産物（包括的ＣＶおよび含炭酸塩ＣＶ、以下参照）および最終生産物（ドープ型植物性複合体または（調製オプションに応じて、以下参照）「オーバードープ型」植物性複合体）の意外な特性の鍵の一つであるとみなしている要因である。
【００３８】
ステップＢ
強い活性の「含炭酸塩植物性複合体」（ＣＶＣ）の調製
（図３）
ステップＢで調製された（活性化された）包括的植物性複合体ＣＶは、
−  約６０〜８０重量％の乾燥材料濃度まで乾燥され、次に
−  「炭酸塩材料」と混合される。
【００３９】
この「炭酸塩材料」は、高いまたは非常に高い割合の炭酸塩、粗い乃至は非常に粗い粒度を呈する形の、全面的に好ましくは炭酸カルシウムを有するあらゆる材料として定義することができる。すなわち、例えば大理石、方解石、あられ石などの「無機充填材」と呼ばれる分野において周知のあらゆるタイプの粉砕天然炭酸カルシウムまたはＧＣＣがしたがって好ましい。
【００４０】
粒度は、一例として１００〜３００ミクロンの範囲内、さらにはより粗いものである。
【００４１】
本発明は、均質な粒度を決して求めておらず、反対に、粒度は不均質であってよい。その上、炭酸塩材料がわずかな割合で、微粒子または超微粒子（粉砕時に不可避的）および／または非常に粗い粒子を含み得ることは避けられない。
【００４２】
周囲雰囲気（以下の「方法オプション２」を参照）が容易に炭酸塩層を横断し得るように、不均質、さらには非常に不均質の粒度が好まれるという点を記しておく。
【００４３】
このような炭酸塩のリストは、炭酸塩の粉砕および粉砕添加物、プラスチック材料、塗料、紙、紙の被覆配合物などのための添加物および無機充填材を扱う特許および文書中で、当業者が入手できるものであり、そして、粒度分布曲線等、ｄ５０は、周知のとおり知られるに至っている。
【００４４】
「炭酸塩材料」そして特に炭酸カルシウムの好ましい有効な割合は、乾燥炭酸塩材料のおよそ７０〜９５重量％（一般には炭酸塩中、乾燥材料の比率はおよそ９８重量％である）、好ましくは８０〜９０％であり、１００％までの補完物は、乾燥材料の６０〜８０重量％つまり天然の植物性複合体の５〜３０％、好ましくは１０〜２０％の包括的植物性複合体である。
【００４５】
ドープ型またはオーバードープ型植物性複合体の調製方法
（図４．５．６）
オプション１
ドープ型植物性複合体（ＣＶＤ）
ステップ１Ａ
非常に高い割合の藁または等価の植物性材料、全面的に好ましくは藁、および有機材料を含む堆肥を調製する。
【００４６】
好ましくは、これまでのところ最も効果的でありかつ現場において最も実用的である様式にしたがって、藁と馬糞の堆肥を利用する。
【００４７】
好ましくは、この堆肥は、９０重量％の藁と１０重量％の馬糞を含有する。
【００４８】
さらに好ましくは、この堆肥は、２０〜４０重量％の乾燥材料を含有し、残分は水である。
【００４９】
非常に明瞭に好ましいのは、被覆用堆肥ＣＶＣを異なる堆肥ＣＰの上に、例えば（非限定的に）
−  非常に好ましくは植物性堆肥を牛または馬（ウマ科）の家畜の厩肥上に、または、
−  植物性堆肥を他の家畜動物の厩肥上に、
配置することである。
【００５０】
動物性材料の割合が、最終的に、成長のため微生物に与えられる材料中において総重量でつねに１重量％未満である、ということが指摘される。
【００５１】
ステップ１Ｂ
この堆肥を好気性条件で３〜６日間発酵させて、こうして、図４および６の発酵済みまたは発酵中の堆肥ＣＰを生産する。
【００５２】
ステップ１Ｃ
全体として断面が台形の堆積物の形にこの堆肥ＣＰを土壌上に置き、それをその面全体にわたり、特にその上部面を、以上で得た含炭酸塩植物性複合体ＣＶＣの層で被覆する。
【００５３】
堆肥ＣＰの堆積物の高さはおよそ１．７０〜１．９０ｍである。
【００５４】
含炭酸塩植物性複合体層ＣＶＣは、堆肥ＣＰのこの堆積物の上部面上でおよそ１５〜３５ｃｍ、好ましくは２０〜３０ｃｍであり、側面上で５〜１０ｃｍである。
【００５５】
ステップ１Ｄ
全体の頂部で気体放出が感知されるまで、ＣＶＣの被覆層の被覆下でこの層と相乗的に、堆肥ＣＰにその発酵を続行させる。放出された気体を測定するための器具が、この熟成状態を判定する目的で堆肥ＣＰの堆積物の頂部に設置され、この判定は、この器具が無くても、当業者の技術的知識およびその常識により達成できるものである。
【００５６】
ステップ１Ｅ  収獲
複合体が収穫のために熟成していると当業者が評価した時点で、
−  含炭酸塩植物性複合体ＣＶＣ（複合体体積ｄ１）の上部層と側面層の全体、および、ＣＶＣとＣＰとの境界面の下に位置する堆肥ＣＰの体積ｄ２の全体を収穫する（図４、オプション１参照）。
【００５７】
６０〜８０ｃｍの堆肥ＣＰ塊の高さ、および１５〜３０ｃｍ、好ましくは２０〜３０ｃｍのＣＶＣの上部層の高さに対して、ＣＰ／ＣＶＣ境界面下で採取された堆肥ＣＰ塊の体積ｄ２の高さはおよそ６０〜８０ｃｍである。
【００５８】
当然のことながら、全ての、したがって回収される体積ｄ２の下を含めた下部堆肥ＣＰ中で反応および交換が発生するが、前記ＣＶＣ／ＣＰ境界面から離れた場合に（勾配の効果にしたがって）増々これらの事象が減少することは明らかである。したがって、可能なかぎり大きい回収体積ｄ２を入手する必要性と、境界面から過度に遠いために過度に活性化度が低く、こうして回収された複合体ｄ１＋ｄ２の包括的活性を劣化させることになる堆肥ｄ２を回収しないように回収体積を過度に大きくしないことの間の妥協点である堆肥ＣＰの体積ｄ２およびＣＶＣ（ｄ１）が回収される。
【００５９】
この妥協点は、例えば１００または２００リットルなどの小体積に対していくつかの試験を実施し、例えば境界面に設置された温度プローブにより温度を測定し、（プローブのゾーンのまわりでの堆肥の試料採取により）温度と生物活性間の関係を確定することにより、日常的ないくつかの試験を用いて、あるいは単純で実用的な他のあらゆる方法を用いて、必要に応じて当業者が容易に実現できるものである。このような方法は、あらゆる当業者にとって公知であるかまたは容易に利用可能である。
【００６０】
（温度と共に）考えられる試験の第二の要因、すなわち採取された特殊な堆肥の「生物活性」に関しては、例えば放出される気体の体積を連続的にまたは非連続的に、容易に測定し分析することができる。例えばＣＯ2またはＮＨ3の放出を追跡し、温度の場合のように、生物活性＝ｆ（ＣＯ2またはＮＨ3の濃度）などの単純な関係、またはあらゆる当業者が理解できる類似の関係を確定することができる。
【００６１】
収獲された生産物ｄ１（ＣＶＣ）＋ｄ２（ＣＰ）について：
−  特に藁および馬糞または厩肥に由来する植物性材料および有機材料の再組織；
−  層ｄ１およびｄ２内での相間交換に参与する特に窒素、ＣＯ2、Ｏ2、Ｈ2などの周囲雰囲気（Ａ）の気体の介入、
−  相間交換により生成されるかまたは周囲雰囲気（Ａ）を介して導入されるアンモニア、ＣＯ2、Ｈ2の気体の固定に大きく参与する炭酸塩の有効な介入、
−  一部がフミン酸核の著しい成長に有利に作用した、菌類または胞子の極めて高い濃度、
が確認された（あるいは出願人は、この道理にかなった仮説によってのみ、得られた特性および含有量を説明している）。
【００６２】
以上で指摘した通り、出願人には、得られた意外な特性が、
−  菌類、カビおよびそれに類するもの、そして菌根の非常に強い増殖、
に由来すると思われ、
−  かつ、アンモニアおよびＣＯ2などの気体の極めて重要な固定が、「炭素および窒素吸収源を形成するために必須であるとも思われる。
【００６３】
本質的に、
−  フミン酸およびその核、
−  フルボ酸、
−  好気性微生物、特に菌類、放線菌および好気性細菌、胞子、カビなど、
が記される。
【００６４】
さらに、菌類、胞子などによって極めて大きな割合で形成されるフミン酸核およびフミン酸は、出願人によると、特性のうちの本質的な大きな部分に寄与している。
【００６５】
「極めて大きな」というのは、ここでは、従来技術の知識および当業者の経験から見て予期できたものをはるかに上回る濃度のことであり、これは、何十年も前から取扱われてきた基本的生産物が問題となっているため、明らかに意外なことである、ということが指摘される。
【００６６】
一つの理論により束縛することは望まないものの、出願人は、活性化され炭酸塩を含む植物性複合体ＣＶＣの層で堆肥ＣＰを「被覆する」ことで、
ａ）被覆された堆肥ＣＰの気体放出がかなりの程度まで遮断または「固定」されることになり、したがって、これらの気体放出（ＣＯ2、ＮＨ3、Ｈ2など）は、堆肥ＣＰの発酵／分解元素を通って緩慢に「浸透」することを強制され；この浸透は、低速で、したがって極めて有効である気相＞＜固相＞＜液相またはペースト相を含めた相間および成分間の多くの交換を生成するはずであり、炭酸塩は意外なことにこれらの気体、雰囲気中の気体と堆肥ＣＰの気体を同時に固定するのを助けること、
ｂ）細菌が最大まで成長でき、したがって最大限のドーパント効果（これには発酵に対する作用、気体のより活発な生成などが含まれる）を生産できるようになること、
ｃ）炭酸塩材料との補足的交換が可能になること、
ｄ）雰囲気中の気体（Ａ）に対して、層ＣＶＣ内およびＣＰのｄ１内に介入しこれと相互作用する時間を提供すること；
を示唆している。
【００６７】
堆肥ＣＰの表面を最大限にそして可能であれば完全に被覆する必要があるのは、特に気体の排出を遮断するためである。
【００６８】
利用される「炭酸塩材料」Ｃは、同様に出願人の理論によると、炭酸塩（これは基本的生産物である）の公知の特性によってだけでなく、特に運動中の液体および気体物質を強制的に粗粒子と接触させて、
−  補足的に大きな接触表面を提供し、これは、交換の強化に好都合である、
−  炭酸塩の粒子表面における堆肥の一部の構成要素の吸着／吸収の可能性を提供し、
−  かつ、浸透および相の運動に対する障害および迷路を作り出して、こうして、相の撹拌に有利に作用しながら改めて交換の機会を提供する、
ことによって介入する。
【００６９】
こうして、本発明によると、例えば農地用堆肥の好気性変化とは反対に、発酵ガスの損失がないために、炭素または窒素または他の元素の損失は発生しない：それどころか、本発明は、特にその回収可能部分ｄ２中の堆肥ＣＰならびにＣＶＣ自体のドーピングに、そして栄養分と活性元素の富化に（細菌作用との組合せによって）参与するために、これらの気体を利用している。
【００７０】
極めて非常に簡潔にではあるが、添付の図４でこれらの現象を概略的に示すことが試みられた。
【００７１】
ＰＨＬは、自然対流または熱対流（発酵熱）により運動する液相を表わしている。
【００７２】
ＰＨＳ（黒点）は、可動性の比較的低い固相を表わす。
【００７３】
Ｇは、固有の吸着／吸収特性等を有する炭酸塩粒子Ｃ（白色四角形）によっておよび被覆ＣＶＣによって減速されて、塊ＣＰおよびｄ２を通って非常に緩慢に浸透する前述の気体（Ｏ2、ＮＨ3、Ｈ2、ＣＯ2）を表わす。
【００７４】
Ｚおよび破線円は、表わすのが不可能な相の多数の組合せの中で、塊中の至るところに実際現われる相間交換ゾーンのうちのいくつかを表わしている。
【００７５】
雰囲気Ａの気体が、ＣＶＤ層ｄ１および少なくともｄ２の中に侵入し介入できることがわかり、他の意外な特性の中でも、本発明に係る生産物は、これらの気体、特にＮ２およびＣＯ２（炭素）を「固定する」ことから、この恩恵は重要である。
【００７６】
矢印付きの線は、考えられる運動、浸透、対流、ブラウン運動などを概略的に表わしている。
【００７７】
ステップ１Ｆ  ふるいまたはこし器Ｔの通過
（図５）
収獲した「ドープ型植物性複合体」ＣＶＤ（実際、これは、好ましい実施形態においては藁および馬糞の発酵堆肥によってドープされ、ひいては有機材料画分を含む、劣化した植物性材料の複合体である）、すなわち体積ｄ１（ＣＶＤ）およびｄ２（堆肥ＣＰ）は、約１〜１０ｍｍのサイズの粒子を留めるふるいまたはこし器Ｔに通され、こうして「活性化粗粒子」または「ＧＡ」という第一の生産物を形成し、かつここでは「活性化微」粒子または「ＦＡ」と呼ばれるほぼ１ｍｍ未満のサイズの粒子を通過させる。
【００７８】
最も細かい粒子は、そのままの状態で、または希釈した状態で、企図された利用分野において利用される。以下の「希釈」の項を参照。
【００７９】
出願人の理論によると本発明の重要な一要素である活性化粗粒子ＧＡの方は、（以上と同様有機材料画分によるドーピングの画分を含む）「オーバードープ型植物性複合体」を生産するために、以上のものと同じ方法において、ただし補足的上部層として利用される。
【００８０】
オプション２
オーバードープ型植物性複合体（ＣＶＳＤ）
ステップは、オプション１の場合と全く同じであるが、ＣＶＣ（含炭酸塩植物性複合体）層により堆肥ＣＰを被覆させた後、上述のオプション１においてこし器での阻止によって得られた活性化粗粒子ＧＡで構成された第三の層により全体を被覆するという点を除く。
図６参照
【００８１】
相間の交換および現象は、複合体ＣＶＤが、被覆された堆肥ＣＰと活性化粗粒子層ＧＡ（これは、その自然の停滞により雰囲気Ａの気体を浸透させる）によって同時に「サンドイッチ状態」で活性化されるという点を除いて、同じである。
【００８２】
浸透の補足的減速、したがって気体のさらに良好な固定およびフミン酸の生成をさらに実現することに加えた層ＧＡの利点の一つは、反応系に対してフミン酸核および高い菌類濃度をもたらすという点にある。ここから「サンドイッチ状態」での活性化という概念が生まれる。
【００８３】
効果および得られる生産物は、「ドーピング」が約１０〜２０％ほどより強いものとなる点、そして別の形では現場での利用が困難である粒子ＧＡを有効に再利用することになる点を除いて、オプション１の場合と本質的に同じである。
【００８４】
交換現象は、添付の図６に表わされている。これらの現象は、層ＧＡが二重矢印によって概略的に表わされている補足的交換を許容する（ＣＰおよびＧＡが同時に強くドープされるという点を喚起しておく）という点を除いて、添付の図４（オプション１）との関係において、説明されたものと同じである。
【００８５】
オプション１の場合と同様、ＣＶＤのｄ１とＣＰのｄ２が回収され、加えて、層ＧＡ（一般には、頂部で４０〜５０〜６０ｃｍ）が回収され、このとき収穫されたもの全体（ｄ１＋ｄ２＋ＧＡ）とＣＰの未使用残留物の間の体積比はおよそ５０／５０である。
【００８６】
ふるいがけの後、そのままの状態または希釈した状態で利用できるオーバードープ型植物性複合体ＣＶＳＤが得られる（以下の「希釈」の項を参照のこと）。
【００８７】
実際、出願人の功績の一つは、発酵の際の気体の損失を遮断または減速することを考えたこと、しかも、好気性発酵の状態であって次に含炭酸塩堆肥および粗い堆肥で被覆されるものを含む三つの堆肥を組合せることによってこれを行なったことにある。
【００８８】
したがって、本発明は、塊中において、水素を含めた気体の遮断およびＣＯ2を含めた他の気体の固定の組合せを実現する。こうして、炭素、窒素および他の有用な元素の損失は無くなり、つまり「炭素および窒素吸収源」が作り出される。
【００８９】
−  新規の工業生産物
したがって二つの方法オプションの結果として、その「生物活性」およびその組成によって二つの「新規の工業生産物」ＣＶＤおよびＣＶＳＤがもたらされ、その新規性は、以下のような「マーカー」により実証され得る（以下参照）：
−  このように「遮断された」気体ＮＨ3、ＣＯ2さらにＨ2は、このとき、おそらくはそれ自体同様に遮断されている水素の作用により固定され得るという事実。こうして出願人は、本発明によると、本発明によって堆肥化された１ｔの厩肥２が８４０ｋｇの残留生産物を提供し、一方通常の農地の好気性厩肥は例えば、６ヵ月という同じ期間の後、６００ｋｇしか存続させないということを記した。したがって、本発明が行なう過剰濃縮および通常の厩肥内で（多くの場合ＣＯ2またはアンモニアの毒性形態で）消滅する有用な元素（炭素、窒素）の保存が測定される。
−  本発明の「被覆」付き方法を使用しない場合に当業者が期待された濃度を（２００〜６００％（特に３００〜５００％））上回る、フミン酸核およびフミン酸の濃度、
−  それ自体今度はフミン酸を製造するのに役立つ微生物（細菌、菌類、カビ）の濃度および多様性、
−  根の上に固定され、植物に有利なように根よりも５〜１０倍深い深度まで水を求めることのできる菌類である菌根の並外れた濃度。
【００９０】
この生産物は同様に、場合によって、複合体ＣＶＤまたはＣＶＳＤ内のヘミセルロース率である中間「マーカー」によって特徴づけされ、通常の堆肥とは区別される。この比率は実際、いつでも利用できる状態にあり６〜８ヵ月の相互作用の終了時に回収された本発明に係る生産物においては、通常の堆肥に比べて約二倍である。
【００９１】
希釈：本発明に係る複合体ＣＶＤまたはＣＶＳＤおよびその異なる変形形態：
「純粋な」ＣＶＤまたはＣＶＳＤ：純粋な生産物は、極めて活性が高く、非常に高い炭素および窒素の（非常に意外な）用量の固定を伴って、フミン酸核を含めた活性材料が濃縮されている。
【００９２】
この純粋な生産物は、そのままの状態で、すなわち希釈無しで利用可能である。しかしながら、この生産物は当然、非常に濃縮されており、これほど濃縮された生産物の使用は、実用上の問題（設備不適合、過剰施肥の危険性など）を提起する可能性がある。
【００９３】
「中性」または「不活性」媒体を用いた希釈
本発明に係る純粋な複合体ＣＶＤまたはＣＶＳＤ（区別せずに）は、炭酸塩またはシリカ砂などの一つまたは複数の不活性または中性の固体媒体またはポゾランなどの他の生産物を用いて希釈することができる。希釈は、エンドユーザーの判断にしたがったほぼ任意の割合で、生産物が活性かつ有効であるため、３０／７０、２０／８０さらには１０／９０、５／９５、１／９９という特に純粋なＣＶＤまたはＣＶＳＤ／砂比率（総重量）で行なうことができる。
【００９４】
「有機材料」タイプの（またはこのような有機材料を含む）媒体を用いた希釈
希釈は、セイヨウアブラナの搾りかす、オリーブ果肉、カカオの実などの公知の有機材料を一パーセント含むあらゆる種類の生産物を用いて実施可能である。
【００９５】
本発明は、純粋または希釈されたこれらの新規の工業生産物そして一般的には、純粋なおよび／または希釈された少なくとも一つのＣＶＤまたはＣＶＳＤあるいはそれらの混合物で構成されているかまたはそれらを含むことを特徴とする新規の工業生産物を網羅している。
【００９６】
生産物は、単独で、厩肥２００〜５００ｇ／ｔの割合で使用可能である。第二の場合において、この生産物は、無機材料と混合されてよく（５〜２０％の核を伴って厩肥中に入る生産物）、この生産物は厩肥１〜５Ｋｇ／ｔの用量で位置づけされる。
【００９７】
畑に位置づけされる生産物は、それが純粋な場合２０〜４０ｋｇ／Ｈａの割合で配置することができる。このような用量で均質にそれを分散させることは非常に困難であることから、核の５〜１０％の無機および有機材料が添加され、２００〜６００ｋｇ／Ｈａの割合で土壌の上に位置づけされる。
【００９８】
現在、意外にも、（出発有機材料の肥沃度が低い場合の）「改良された」から、出発有機材料が標準乃至優良である場合の「極めて増大した」に至る効率で、メタンを含むバイオガスまたはメタンを生産することを目的とした、これらの生産物の全く予想外の応用が発見された。
【００９９】
メタン化／メタンの生産／メタンを含むバイオガスの生産
従来の「メタン化装置」は公知である。すなわち、開放型または閉鎖型発酵装置内で、当然最大の有機材料濃度を有する、浄水場汚泥、油肥などの有機成分を含む産業残渣、食品廃棄物、液肥、さまざまな厩肥などのさまざまな有機廃棄物を例えば３０００ｍ3発酵させ、この体積例では約６０ｔの同じタイプの有機廃棄物を毎日補完し、こうして、なかでも特にメタンＣＨ4（３〜５トン）を含むバイオガスを毎日生産する。
【０１００】
本発明にしたがって、有機廃棄物６０ｔというこの日々の補完物に対して、上述の割合で砂で希釈された本発明に係る純粋なＣＶＤまたはＣＶＳＤを６００ｋｇだけ添加し混合した場合、ＣＨ4の効率は、出発有機廃棄物に応じて１２０から２００〜２２０〜３５０％増大する。２０％という「わずかな」増大でさえ確かな前進を表わす。浄水汚泥などの肥沃な有機媒質で作業する場合、最も高い値が達成される。同様に、Ｈ２Ｓの臭気がはるかに弱いことも記される。
【０１０１】
本発明は同様に、本発明の方法によって得られたことを特徴とする、メタンを含むバイオガスおよびメタンをも網羅する。
【０１０２】
本発明は、バイオガスの生産およびこのバイオガス中のメタンの割合を増大させ、こうしてメタンの生産は１．１〜６倍そして一般的には１．３〜３倍増大し、バイオガス中のＣＯ2の割合は、１０〜９０％そして一般的には４０〜６０％削減されることになる。
【０１０３】
さらに、メタン化反応装置内には、「消化残渣」と呼ばれる反応装置の底の残留分が残る。これは、半液体の汚泥の形をした生産物である。
【０１０４】
本発明に係る生産物がメタンの生産のために使用される場合、この消化残渣は極めて興味深い特性を示す。
【０１０５】
この消化残渣は、２倍または３倍のフミン酸（特に１４０〜２００％増加）そしてさらには非常に重要な材料であるが、有機材料は同化可能な生産物の形に「組織され」、一方窒素は特にフミン酸によりはるかにうまく固定される。
【０１０６】
非限定的な理論によると、出願人は、消化残渣の散布の際にフミン酸が土壌の粘土と凝結でき、この綿状凝結物が粘土の板状岩片の間に挿入されて、こうして土壌を換気し、まさに滋養に富んだ窒素が固定された状態にある粘土内に根が酸と接触するまで進入することを可能にすることに寄与する、と考えている。
【０１０７】
「メタン化」の利用分野のためには、非常に好ましくは本発明の純粋な特殊な堆肥生産物との関係において、ＣａＯに換算して３５〜６０重量％好ましくは４５〜５４重量％の割合で炭酸塩砂を利用することが適切である。
【０１０８】
この気体は、その公知の利用分野全てにおいて使用することができる。
【０１０９】
本発明はさらに、ＣＶＤまたはＣＶＳＤを使用していない従来の消化残渣と比べておよそ２倍または３倍（特に１４０〜２００％の増加）のフミン酸を含むことを特徴とする回収された消化残渣で構成されることを特徴とする新規工業生産物にも関する。
【０１１０】
本発明はさらに、本発明に係る方法により得られたメタンの、その全ての公知の利用分野における応用にも関する。
【図面の簡単な説明】
【０１１１】
【図１】図１は本発明を説明するものである。
【図２】図２は本発明を説明するものである。
【図３】図３は本発明を説明するものである。
【図４】図４は本発明を説明するものである。
【図５】図５は本発明を説明するものである。
【図６】図６は本発明を説明するものである。
【符号の説明】
【０１１２】
Ｐ  藁
（Ｓ）  土壌
Ｔ  トレンチ
ＣＰＬ  植物複合体
ＣＶ  植物性複合体
ＭＣ  炭酸塩材料
ＣＶＣ  含炭酸塩植物性複合体
ＣＶＤ  ドープ型植物性複合体
ＣＰ  堆肥
Ｚ  ゾーン
Ｇ  気体
ＰＨＬ  液相
ＰＨＳ  固相
ｄ１  複合体体積
ｄ２  体積
Ｔ  ふるい
ＧＡ  活性化粗粒子
ＦＡ  活性化微粒子
【図１】
2015520096.tif 000003
【図２】
2015520096.tif 000004
【図３】
2015520096.tif 000005
【図４】
2015520096.tif 000006
【図５】
2015520096.tif 000007
【図６】
2015520096.tif 000008
【国際調査報告】
2015520096.tif 000009
2015520096.tif 000010
2015520096.tif 000011
2015520096.tif 000012
2015520096.tif 000013
2015520096.tif 000014